(57)【特許請求の範囲】
【請求項１】
施設に設けられた区画のセキュリティの高さ示す区画レベルと、前記区画を利用する利用者のセキュリティの高さ示す利用者レベルとを比較することにより、前記区画に対する前記利用者の入室可否を判定する施設管理システムであって、
入室を管理する前記区画ごとに前記区画レベルを記憶する区画レベル記憶部と、
前記区画を利用する利用者ごとに前記利用者レベルを記憶する利用者レベル記憶部と、
前記各区画に設けられて、利用者操作に応じて当該区画に対する当該利用者の入室可否判定を要求する判定要求を送信するリーダ端末と、
前記リーダ端末からの判定要求に応じて、前記区画レベル記憶部から取得した前記区画の区画レベルと前記利用者レベル記憶部から取得した前記利用者の利用者レベルとを比較することにより、当該区画に対する当該利用者の入室可否を判定し、この判定結果に基づいて当該区画に設けられている電気錠の開閉を指示する判定処理部と
を備え、
前記判定処理部は、前記判定結果が入室可を示す場合、前記利用者レベル記憶部のうち前記利用者の利用者レベルを前記区画レベルと等しい値に変更する
ことを特徴とする施設管理システム。
【請求項２】
請求項１に記載の施設管理システムにおいて、
前記区画レベル記憶部は、前記区画のうち前記利用者の利用者レベルを無制限レベルに変更する初期化ポイントを予め記憶し、
前記判定処理部は、前記判定時、前記利用者レベルが無制限レベルの場合には前記区画のすべてに対して入室可と判定し、前記判定結果が入室可を示す場合であって、かつ前記区画が前記初期化ポイントである場合、前記利用者レベル記憶部のうち前記利用者の利用者レベルを前記無制限レベルに変更する
ことを特徴とする施設管理システム。
【請求項３】
施設に設けられた区画のセキュリティの高さ示す区画レベルと、前記区画を利用する利用者のセキュリティの高さ示す利用者レベルとを比較することにより、前記区画に対する前記利用者の入室可否を判定する施設管理システムで用いられる施設管理方法であって、
区画レベル記憶部が、入室を管理する前記区画ごとに前記区画レベルを記憶する区画レベル記憶ステップと、
利用者レベル記憶部が、前記区画を利用する利用者ごとに前記利用者レベルを記憶する利用者レベル記憶ステップと、
リーダ端末が、前記各区画に設けられて、利用者操作に応じて当該区画に対する当該利用者の入室可否判定を要求する判定要求を送信する操作ステップと、
判定処理部が、前記リーダ端末からの判定要求に応じて、前記区画レベル記憶部から取得した前記区画の区画レベルと前記利用者レベル記憶部から取得した前記利用者の利用者レベルとを比較することにより、当該区画に対する当該利用者の入室可否を判定し、この判定結果に基づいて当該区画に設けられている電気錠の開閉を指示する判定処理ステップと
を備え、
前記判定処理ステップは、前記判定結果が入室可を示す場合、前記利用者レベル記憶部のうち前記利用者の利用者レベルを前記区画レベルと等しい値に変更する
ことを特徴とする施設管理方法。
【請求項４】
請求項３に記載の施設管理方法において、
前記区画レベル記憶ステップは、前記区画のうち前記利用者の利用者レベルを無制限レベルに変更する初期化ポイントを予め記憶し、
前記判定処理ステップは、前記判定時、前記利用者レベルが無制限レベルの場合には前記区画のすべてに対して入室可と判定し、前記判定結果が入室可を示す場合であって、かつ前記区画が前記初期化ポイントである場合、前記利用者レベル記憶部のうち前記利用者の利用者レベルを前記無制限レベルに変更する
ことを特徴とする施設管理方法。
【発明の詳細な説明】
【技術分野】
【０００１】
本発明は、施設管理技術に関し、特に利用者の入退履歴に応じて入室判定を変更する施設管理技術に関する。
【背景技術】
【０００２】
施設内に設けた各区画について、これら区画を利用する利用者の入退室を管理する施設管理システムでは、個人を識別するための個人識別番号を記録したＩＤカードなどの記録媒体を利用者に予め配布しておき、利用者が任意の区画で入退室する際、当該区画の出入口に設けられたカードリーダなどのリーダ端末でＩＤカードから読み取った個人識別番号に基づいて、当該利用者に対する入退室可否を判定し、入退可の判定に応じて、当該区画のドアに設けられた電気錠を開錠するものとなっている（例えば、特許文献１など参照）。
【０００３】
また、このような施設管理システムでは、各区画への入退室を詳細に判定するため、各区画に対して、セキュリティの強度を表す基準として多段階のセキュリティレベルを設けるとともに、各利用者にも多段階のセキュリティレベルを付与し、これらセキュリティレベルを比較することにより、各区画に対する利用者の入退可否を判定するものとなっている。
【先行技術文献】
【特許文献】
【０００４】
【特許文献１】特開平１０−２８０７５２号公報
【発明の概要】
【発明が解決しようとする課題】
【０００５】
このような施設管理システムでは、通常、利用者の入室を制限する制限区画へ入室できる利用者であっても、当該利用者が特殊区画へ入室した場合には、その後、制限区画への入室を禁止したい場合がある。例えば、特定の生物を扱う生物実験室に利用者が入室した場合、他の生物を扱う生物実験室への入室を禁止することがある。また、放射線を扱う放射線室に利用者が入室した場合には、制限区画への入室を禁止することもある。
【０００６】
したがって、このような場合には、利用者に対するセキュリティレベルを一時的に変更する必要がある。しかしながら、このような従来技術では、各区画のセキュリティレベルと利用者に付与したセキュリティレベルと関係は、システム管理者による設定作業により予め固定的に設定されていることから、利用者に対する入室判定を柔軟に変更できないという問題点があった。
【０００７】
本発明はこのような課題を解決するためのものであり、各区画を移動した利用者の動線に応じて、当該利用者の利用者レベルを動的に変更できる施設管理技術を提供することを目的としている。
【課題を解決するための手段】
【０００８】
このような目的を達成するために、本発明にかかる施設管理システムは、施設に設けられた区画のセキュリティの高さ示す区画レベルと、区画を利用する利用者のセキュリティの高さ示す利用者レベルとを比較することにより、区画に対する利用者の入室可否を判定する施設管理システムであって、入室を管理する区画ごとに区画レベルを記憶する区画レベル記憶部と、区画を利用する利用者ごとに利用者レベルを記憶する利用者レベル記憶部と、各区画に設けられて、利用者操作に応じて当該区画に対する当該利用者の入室可否判定を要求する判定要求を送信するリーダ端末と、リーダ端末からの判定要求に応じて、区画レベル記憶部から取得した区画の区画レベルと利用者レベル記憶部から取得した利用者の利用者レベルとを比較することにより、当該区画に対する当該利用者の入室可否を判定し、この判定結果に基づいて当該区画に設けられている電気錠の開閉を指示する判定処理部とを備え、判定処理部で、判定結果が入室可を示す場合、利用者レベル記憶部のうち利用者の利用者レベルを区画レベルと等しい値に変更するようにしたものである。
【０００９】
この際、区画レベル記憶部で、区画のうち利用者の利用者レベルを無制限レベルに変更する初期化ポイントを予め記憶し、判定処理部で、判定時、利用者レベルが無制限レベルの場合には区画のすべてに対して入室可と判定し、判定結果が入室可を示す場合であって、かつ区画が初期化ポイントである場合、利用者レベル記憶部のうち利用者の利用者レベルを無制限レベルに変更するようにしてもよい。
【００１０】
また、本発明にかかる設備管理方法は、施設に設けられた区画のセキュリティの高さ示す区画レベルと、区画を利用する利用者のセキュリティの高さ示す利用者レベルとを比較することにより、区画に対する利用者の入室可否を判定する施設管理システムで用いられる施設管理方法であって、区画レベル記憶部が、入室を管理する区画ごとに区画レベルを記憶する区画レベル記憶ステップと、利用者レベル記憶部が、区画を利用する利用者ごとに利用者レベルを記憶する利用者レベル記憶ステップと、リーダ端末が、各区画に設けられて、利用者操作に応じて当該区画に対する当該利用者の入室可否判定を要求する判定要求を送信する操作ステップと、判定処理部が、リーダ端末からの判定要求に応じて、区画レベル記憶部から取得した区画の区画レベルと利用者レベル記憶部から取得した利用者の利用者レベルとを比較することにより、当該区画に対する当該利用者の入室可否を判定し、この判定結果に基づいて当該区画に設けられている電気錠の開閉を指示する判定処理ステップとを備え、判定処理ステップで、判定結果が入室可を示す場合、利用者レベル記憶部のうち利用者の利用者レベルを区画レベルと等しい値に変更するようにしたものである。
【００１１】
この際、区画レベル記憶ステップで、区画のうち利用者の利用者レベルを無制限レベルに変更する初期化ポイントを予め記憶し、判定処理ステップで、判定時、利用者レベルが無制限レベルの場合には区画のすべてに対して入室可と判定し、判定結果が入室可を示す場合であって、かつ区画が初期化ポイントである場合、利用者レベル記憶部のうち利用者の利用者レベルを無制限レベルに変更するようにしてもよい。
【発明の効果】
【００１２】
本発明によれば、各区画を移動した利用者の動線に応じて、当該利用者の利用者レベルを動的に変更することができる。これにより、利用者の入室が制限されている制限区画への入室可否を、当該利用者が特殊区画へ入室したか否かに応じて変更することができ、極めて柔軟な入室判定を実現することが可能となる。
【図面の簡単な説明】
【００１３】
【図１】第１の実施の形態にかかる施設管理システムの構成を示すブロック図である。
【図２】第１の実施の形態にかかる区画情報の構成例である。
【図３】第１の実施の形態にかかる利用者情報の構成例である。
【図４】第１の実施の形態にかかる施設管理システムの入室判定動作を示すフローチャートである。
【図５】第１の実施の形態にかかる施設管理システムの入室判定動作例を示す説明図である。
【図６】第２の実施の形態にかかる区画情報の構成例である。
【図７】第２の実施の形態にかかる施設管理システムの入室判定動作を示すフローチャートである。
【図８】第２の実施の形態にかかる施設管理システムの入室判定動作例を示す説明図である。
【発明を実施するための形態】
【００１４】
次に、本発明の実施の形態について図面を参照して説明する。
［第１の実施の形態］
まず、図１を参照して、本発明の第１の実施の形態にかかる施設管理システムについて説明する。図１は、第１の実施の形態にかかる施設管理システムの構成を示すブロック図である。
【００１５】
この施設管理システム１には、ＩＤカード１０、リーダ端末２２、電気錠２３、制御装置３０、および管理装置４０が含まれている。各区画２０のドア２１に対して設置されているリーダ端末２２および電気錠２３は、通信回線Ｌ１を介してそれぞれデータ通信可能に制御装置３０と接続されている。また、管理装置４０には、通信回線Ｌ２を介して制御装置３０がデータ通信可能に接続されている。この際、施設管理システムの規模に応じて、制御装置３０を複数設けてもよい。
【００１６】
ＩＤカード１０は、メモリカードやＩＣカードなどの携帯可能な情報処理用のカードからなり、当該ＩＤカードを所持する利用者の通行可否を判定するために必要な情報として、利用者に固有の利用者ＩＤなどの利用者識別情報を記録する機能を有している。
【００１７】
リーダ端末２２は、区画２０のドア２１ごとに併設された、カードリーダなどの入力処理装置からなり、カードスロットへＩＤカードを挿入し（接触型）、あるいはカードアンテナへＩＤカードをかざすことにより（非接触型）、利用者が提示したＩＤカード１０から利用者ＩＤなどの利用者識別情報を読み出す機能と、当該利用者識別情報と予め自己に設定されている当該ドア２１に固有のドアＩＤとを含む判定要求を、通信回線Ｌ１を介して制御装置３０へ送信する機能とを有している。
【００１８】
電気錠２３は、区画２０のドア２１ごとに設けられた電動式の錠前からなり、通信回線Ｌ１を介して受信した制御装置３０からの開錠／施錠の指示に応じて、ドア２１の開錠／施錠を行う機能を有している。なお、電気錠２３は、常時、施錠されており、制御装置３０から開錠指示が到来した場合にのみ所定期間だけ開錠するものとする。
【００１９】
制御装置３０は、設備の管理・監視を行う各種制御システムで用いられるコントローラなどの制御装置からなり、通信回線Ｌ１を介して各区画２０に設けられたリーダ端末２２からの判定要求を受信し、通信回線Ｌ２を介して管理装置４０へ通知する機能と、管理装置４０からの指示に応じて、対応する区画２０のドア２１に設けられた電気錠２３を制御する機能とを有している。
【００２０】
管理装置４０は、全体としてサーバ装置やパソコンなどの情報処理装置からなり、制御装置３０を介したリーダ端末２２からの判定要求に応じて、当該区画における利用者の入退室可否を判定し、当該区画のドアに関する開錠制御を行う機能とを有している。
管理装置４０には、主な機能部として、通信Ｉ／Ｆ部４１、操作入力部４２、画面表示部４３、記憶部４４、区画レベル記憶部４４Ａ、利用者レベル記憶部４４Ｂ、情報管理部４５、および判定処理部４６が設けられており、これら機能部は、内部バスを介して相互にデータやり取り可能に接続されている。
【００２１】
通信Ｉ／Ｆ部４１は、通信回線Ｌ２を介して制御装置３０などの外部装置とデータ通信を行う機能を有している。
操作入力部４２は、キーボードやマウスなどの操作入力装置からなり、オペレータ操作を検出して、情報管理部４５などの各種機能部へ出力する機能を有している。
画面表示部４３は、ＬＣＤやＰＤＰなどの画面表示装置からなり、情報管理部４５などの各種機能部から出力された各種情報を画面表示する機能を有している。
記憶部４４は、メモリやハードディスクなどの記憶装置からなり、管理装置４０での処理動作に用いる各種情報やプログラムを記憶する機能を有している。
【００２２】
区画レベル記憶部４４Ａは、メモリやハードディスクなどの記憶装置からなり、入退室を管理する区画２０ごとに、当該区画を識別するための区画ＩＤと、当該区画２０のセキュリティの高さ示す区画レベルとの組を、区画情報として記憶する記憶部である。
図２は、第１の実施の形態にかかる区画情報の構成例である。ここでは、区画２０ごとに、区画ＩＤおよび区画レベルと、当該区画２０に設けられているドア２１のドアＩＤとの組が登録されている。本実施の形態では、区画レベルの値が大きいほどセキュリティが厳重な区画を示している。
【００２３】
利用者レベル記憶部４４Ｂは、メモリやハードディスクなどの記憶装置からなり、区画２０を利用する利用者ごとに、当該利用者を識別するための利用者ＩＤなどの利用者識別情報と、当該利用者のセキュリティの高さを示す利用者レベルとの組を記憶する記憶部である。
図３は、第１の実施の形態にかかる利用者情報の構成例である。ここでは、利用者ごとに、利用者ＩＤと利用者レベルとの組が登録されている。本実施の形態では、利用者レベルの値が大きいほどセキュリティが厳重な区画２０への入室が許可されているものとし、区画レベルの初期値として、いずれの区画レベルの区画２０にも入室可能な無制限レベルを示す「０」が設定されるものとする。
【００２４】
情報管理部４５は、ＣＰＵとプログラムとが協働してなる演算処理部により構成されており、オペレータによる操作入力部４２での区画情報変更操作に応じて、区画レベル記憶部４４Ａで記憶している区画情報を変更して保存する機能と、オペレータによる操作入力部４２での利用者情報変更操作に応じて、利用者レベル記憶部４４Ｂで記憶している利用者情報を変更して保存する機能とを有している。
【００２５】
判定処理部４６は、ＣＰＵとプログラムとが協働してなる演算処理部により構成されており、制御装置３０を介して通信Ｉ／Ｆ部４１で受信したリーダ端末２２からの判定要求に応じて、判定要求で指定されたドアＩＤに基づき区画レベル記憶部４４Ａから取得した当該区画２０の区画レベルと、判定要求指定された利用者ＩＤに基づき利用者レベル記憶部４４Ｂから取得した利用者レベルとを比較し、この比較結果に応じて当該利用者に対する当該区画２０への入室可否を判定する機能と、入室可の判定結果に応じて、通信Ｉ／Ｆ部４１から制御装置３０を介して当該区画２０の電気錠２３へ、開錠を指示する機能とを有している。
【００２６】
［第１の実施の形態の動作］
次に、図４を参照して、本実施の形態にかかる施設管理システムの入室判定動作について説明する。図４は、第１の実施の形態にかかる施設管理システムの入室判定動作を示すフローチャートである。
管理装置４０の判定処理部４６は、制御装置３０を介して通信Ｉ／Ｆ部４１で受信したリーダ端末２２からの判定要求に応じて、図４の入室判定処理を実行する。
【００２７】
まず、判定処理部４６は、受信した判定要求に含まれているドアＩＤに基づいて、当該ドアＩＤと対応する区画２０の区画レベルを、区画レベル記憶部４４Ａから取得し（ステップ１００）、同じく受信した判定要求に含まれている利用者ＩＤに基づいて、当該利用者の利用者レベルを、利用者レベル記憶部４４Ｂから取得する（ステップ１０１）。
【００２８】
次に、判定処理部４６は、区画レベルと利用者レベルとを比較し（ステップ１０２）、利用者レベルが区画レベルより低い場合（ステップ１０２：ＮＯ）、判定処理部４６は、当該区画２０に対する当該利用者の入室は不可と判定し、一連の入室判定処理を終了する。これにより、対応するドア２１の電気錠２３は施錠されたままとなり、利用者は区画２０へ入室することはできない。
【００２９】
一方、利用者レベルが区画レベル以上である場合（ステップ１０２：ＹＥＳ）、判定処理部４６は、当該区画２０に対する当該利用者の入室は可能と判定し、通信Ｉ／Ｆ部４１から制御装置３０を介して対応するドア２１の電気錠２３へ開錠指示を送信する（ステップ１０３）。これにより、ドア２１の電気錠が開錠されて、利用者は区画２０へ入室することが可能となる。
【００３０】
続いて、判定処理部４６は、利用者レベル記憶部４４Ｂのうち、当該利用者ＩＤの利用者レベルを当該区画２０の区画レベルと等しい値に変更し（ステップ１０４）、一連の入室判定処理を終了する。これにより、利用者レベルが当該利用者が入室した区画２０の区画レベルと等しいレベルに変更されるため、この後の、他の区画への入室判定において、当該区画２０より高い区画レベルの区画への入室が禁止されることになる。
【００３１】
［第１の実施の形態の動作例］
次に、図５を参照して、本実施の形態にかかる施設管理システムの入室判定動作例について説明する。図５は、第１の実施の形態にかかる施設管理システムの入室判定動作例を示す説明図である。
【００３２】
図５の例では、施設に区画Ｒ１〜Ｒ６からなる６つの区画２０が共通区画に接して設けられている。これら区画Ｒ１〜Ｒ６には、前述の図２に示したように、区画レベルが予め設定されており、区画Ｒ１，Ｒ６にはレベル「１」、区画Ｒ２，Ｒ５にはレベル「２」、区画Ｒ３，Ｒ４にはレベル「３」がそれぞれ設定されている。
【００３３】
まず、利用者が共用区画から区画Ｒ３へ入室する場合について説明する。区画Ｒ３入室前の状態において、利用者の利用者レベルは無制限レベルであるレベル「０」に初期化されている場合、区画Ｒ３への入室判定において入室可と判定される。これにより、利用者は区画Ｒ３への入室が許可される。
【００３４】
次に、利用者が共用区画から区画Ｒ５へ入室した後、区画Ｒ３へ入室する場合について説明する。この際、区画Ｒ５から出た利用者が区画Ｒ３へ入室することを禁止するため、区画Ｒ３の区画レベルは、区画Ｒ５の区画レベル「２」より高いレベル「３」が設定されている。
まず、区画Ｒ５入室前の状態において、利用者の利用者レベルは無制限レベルであるレベル「０」に初期化されている場合、区画Ｒ５への入室判定において入室可と判定される。これにより、利用者は区画Ｒ５への入室が許可される。
【００３５】
この区画Ｒ５への入室に応じて、利用者の利用者レベルがレベル「０」から、区画Ｒ５の区画レベルであるレベル「２」に変更される。したがって、この後、利用者が区画Ｒ５から共用区画に退室して、区画Ｒ３へ入室する際、利用者の利用者レベルがレベル「２」に変更されていることから、区画レベル「３」の区画Ｒ３への入室が禁止される。
【００３６】
［第１の実施の形態の効果］
このように、本実施の形態は、判定処理部４６により、入室可否の判定結果が入室可を示す場合、利用者レベル記憶部４４Ｂのうち利用者の利用者レベルを、当該区画２０の区画レベルと等しい値に変更するようにしたので、各区画２０を移動した利用者の動線に応じて、当該利用者の利用者レベルを動的に変更することができる。
【００３７】
これにより、利用者の入室が制限されている制限区画への入室可否を、当該利用者が特殊区画へ入室したか否かに応じて変更することができ、極めて柔軟な入室判定を実現することが可能となる。
【００３８】
したがって、図５の例では、区画Ｒ５を特定の生物を扱う生物実験室や放射線を扱う放射線室などの特殊区画とし、区画Ｒ３を利用者の入室が制限される制限区画とした場合、特殊区画へ入室していない利用者については、制限区画への入室を許可し、特殊区画に入室した利用者については、制限区画への入室を禁止することが可能となる。
【００３９】
また、本実施の形態では、管理装置４０において、利用者の動線に応じて、当該利用者の利用者レベルを動的に変更する場合を例として説明したが、施設管理システム１内に設けられた制御装置３０などの他の装置で実行してもよい。例えば、管理装置４０のうち、判定処理部４６などの必要とされる機能部を制御装置３０に設け、予め区画レベル情報を管理装置４０から制御装置３０に展開しておき、利用者レベルの変化をシステム内の通信で共有するなどにより、制御装置３０で利用者レベルを動的に変更するようにしてもよい。
【００４０】
［第２の実施の形態］
次に、本発明の第２の実施の形態にかかる施設管理システムについて説明する。
第１の実施の形態では、区画２０への入室可の判定に応じて利用者の利用者レベルを、当該区画２０の区画レベルと等しい値に変更する場合について説明した。本実施の形態では、変更した利用者レベルを初期化する場合について説明する。
【００４１】
本実施の形態において、区画レベル記憶部４４Ａは、区画のうち利用者の利用者レベルを無制限レベルに変更する初期化ポイントを予め記憶している。
図６は、第２の実施の形態にかかる区画情報の構成例である。ここでは、区画２０ごとに、区画ＩＤ、区画レベル、およびドアＩＤと、当該区画が初期化ポイントであるか否かを示す初期化ポイントフラグとの組が登録されている。初期化ポイントフラグにおいて、値「１」は当該区画が初期化ポイントであることを示し、値「０」は当該区画が初期化ポイントでないことを示している。
【００４２】
判定処理部４６は、入室判定時、利用者レベルが無制限レベルの場合には区画のすべてに対して入室可と判定する機能と、判定結果が入室可を示す場合であって、かつ区画が初期化ポイントである場合、利用者レベル記憶部４４Ｂのうち利用者の利用者レベルを無制限レベルに変更する機能とを有している。
本実施の形態にかかる施設管理システム１のうち、このほかの構成については、第１の実施の形態と同様であり、ここでの詳細な説明は省略する。
【００４３】
［第２の実施の形態の動作］
次に、図７を参照して、本実施の形態にかかる施設管理システムの入室判定動作について説明する。図７は、第２の実施の形態にかかる施設管理システムの入室判定動作を示すフローチャートであり、前述した図４と同じまたは同等部分には、同一符号を付してある。
管理装置４０の判定処理部４６は、制御装置３０を介して通信Ｉ／Ｆ部４１で受信したリーダ端末２２からの判定要求に応じて、図７の入室判定処理を実行する。
【００４４】
まず、判定処理部４６は、受信した判定要求に含まれているドアＩＤに基づいて、当該ドアＩＤと対応する区画２０の区画レベルを、区画レベル記憶部４４Ａから取得し（ステップ１００）、同じく受信した判定要求に含まれている利用者ＩＤに基づいて、当該利用者の利用者レベルを取得する（ステップ１０１）。
【００４５】
次に、判定処理部４６は、区画レベルと利用者レベルとを比較し（ステップ１０２）、利用者レベルが区画レベルより低い場合（ステップ１０２：ＮＯ）、判定処理部４６は、当該区画２０に対する当該利用者の入室は不可と判定し、一連の入室判定処理を終了する。これにより、対応するドア２１の電気錠２３は施錠されたままとなり、利用者は区画２０へ入室することはできない。
【００４６】
一方、利用者レベルが区画レベル以上である場合（ステップ１０２：ＹＥＳ）、判定処理部４６は、当該区画２０に対する当該利用者の入室は可能と判定し、通信Ｉ／Ｆ部４１から制御装置３０を介して対応するドア２１の電気錠２３へ開錠指示を送信する（ステップ１０３）。これにより、ドア２１の電気錠が開錠されて、利用者は区画２０へ入室することが可能となる。
【００４７】
続いて、判定処理部４６は、区画レベル記憶部４４Ａの初期化ポイントフラグを参照して、当該区画２０が初期化ポイントか否か判定する（ステップ２００）。ここで、当該区画２０が初期化ポイントでない場合（ステップ２００：ＮＯ）、 判定処理部４６は、利用者レベル記憶部４４Ｂのうち、当該利用者ＩＤの利用者レベルを当該区画２０の区画レベルと等しい値に変更し（ステップ１０４）、一連の入室判定処理を終了する。これにより、利用者レベルが当該利用者が入室した区画２０の区画レベルと等しいレベルに変更されるため、この後の、他の区画への入室判定において、当該区画２０より高い区画レベルの区画への入室が禁止されることになる。
【００４８】
一方、当該区画２０が初期化ポイントの場合には（ステップ２００：ＹＥＳ）、利用者レベル記憶部４４Ｂのうち当該利用者の利用者レベルを無制限レベルを示すレベル「０」に変更し（ステップ２０１）、一連の入室判定処理を終了する。これにより、利用者レベルが無制限レベルに変更されるため、この後の、他の区画への入室判定において、いずれの区画２０に対しても入室可と判定されることになる。
【００４９】
［第２の実施の形態の動作例］
次に、図８を参照して、本実施の形態にかかる施設管理システムの入室判定動作例について説明する。図８は、第２の実施の形態にかかる施設管理システムの入室判定動作例を示す説明図である。
【００５０】
図８の例では、施設に区画Ｒ１〜Ｒ６からなる６つの区画２０が共通区画に接して設けられている。これら区画Ｒ１〜Ｒ６には、前述の図２に示したように、区画レベルが予め設定されており、区画Ｒ１，Ｒ６にはレベル「１」、区画Ｒ２，Ｒ５にはレベル「２」、区画Ｒ３，Ｒ４にはレベル「３」がそれぞれ設定されている。
【００５１】
ここでは、利用者が共用区画から区画Ｒ５へ入室した後、区画Ｒ２へ入室し、さらに区画Ｒ３へ入室する場合について説明する。この際、区画Ｒ５から出た利用者が区画Ｒ３へ入室することを禁止するため、区画Ｒ３の区画レベルは、区画Ｒ５の区画レベル「２」より高いレベル「３」が設定されている。また、区画Ｒ５から出た利用者が区画Ｒ２へ入室できるよう、区画Ｒ２の区画レベルは、区画Ｒ５と同じレベル「２」に設定されている。
【００５２】
まず、区画Ｒ５入室前の状態において、利用者の利用者レベルは無制限レベルであるレベル「０」に初期化されている場合、区画Ｒ５への入室判定において入室可と判定される。これにより、利用者は区画Ｒ５への入室が許可される。また、この区画Ｒ５への入室に応じて、利用者の利用者レベルがレベル「０」から、区画Ｒ５の区画レベルであるレベル「２」に変更される。
【００５３】
続いて、利用者が区画Ｒ５から共用区画に退室して、区画Ｒ２へ入室する際、利用者の利用者レベルがレベル「２」に変更されているものの、区画Ｒ２の区画レベルと等しいことから、利用者は区画Ｒ２への入室が許可される。また、この区画Ｒ２への入室に応じて、利用者の利用者レベルがレベル「２」から、無制限レベルであるレベル「０」に初期化される。
この後、利用者が区画Ｒ２から共用区画に退室して、区画Ｒ３へ入室する際、利用者の利用者レベルがレベル「０」に変更されていることから、区画Ｒ３への入室が許可される。
【００５４】
［第２の実施の形態の効果］
このように、本実施の形態は、判定処理部４６で、判定結果が入室可を示す場合であって、かつ区画２０が初期化ポイントである場合、利用者レベル記憶部４４Ｂのうち当該利用者の利用者レベルを無制限レベルに変更するようにしたので、利用者の動線に応じて、当該利用者の利用者レベルを初期化することができる。
【００５５】
これにより、利用者の入室が制限されている制限区画への入室可否を、当該利用者が特殊区画または初期化ポイントへ入室したか否かに応じて変更することができ、極めて柔軟な入室判定を実現することが可能となる。
【００５６】
したがって、図８の例では、区画Ｒ５を特定の生物を扱う生物実験室や放射線を扱う放射線室などの特殊区画とし、区画Ｒ３を利用者の入室が制限される制限区画とし、さらに区画Ｒ２を初期化ポイントとした場合、特殊区画へ入室していない利用者については、制限区画への入室を許可し、特殊区画に入室した利用者については、制限区画への入室を禁止し、特殊区画に入室した後、初期化ポイントへ入室した利用者については、制限区画への入室を許可することが可能となる。これにより、クリーンルームや保安室を一端経由した利用者に対してのみ制限区画への入室を許可することが可能となる。
【００５７】
また、本実施の形態では、管理する区画のうちのいずれか１つ以上を初期化ポイントとして設定する場合を例として説明したが、初期化ポイントについて特定の区画ではなく、例えば共用区画に設けられた１つのリーダ端末２２に割り当ててもよい。
【００５８】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【符号の説明】
【００５９】
１…施設管理システム、１０…ＩＤカード、２０…区画、２１…ドア、２２…リーダ端末、２３…電気錠、３０…制御装置、４０…管理装置、４１…通信Ｉ／Ｆ部、４２…操作入力部、４３…画面表示部、４４…記憶部、４４Ａ…区画レベル記憶部、４４Ｂ…利用者レベル記憶部、４５…情報管理部、４６…判定処理部、Ｌ１，Ｌ２…通信回線。
【図１】
0005548082.tif 000002
【図２】
0005548082.tif 000003
【図３】
0005548082.tif 000004
【図４】
0005548082.tif 000005
【図５】
0005548082.tif 000006
【図６】
0005548082.tif 000007
【図７】
0005548082.tif 000008
【図８】
0005548082.tif 000009